(57)【特許請求の範囲】
【請求項１】
細長い柔軟な物品を選択的に固定するための装置であって、
ａ）第１端、第２端、外側の壁および、前記細長い柔軟な物品を受ける寸法を有する隠れた縦の穴を形成し、嵌合突起を備えた内側の壁とを有するハウジングと、
ｂ）前記ハウジングに回転できるように設置され、第１ロック・アーム嵌合突起と第２ロック・アーム嵌合突起とを備え、前記内側の壁の嵌合突起と前記第１ロック・アーム嵌合突起と前記第２ロック・アーム嵌合突起との間に第１間隙を提供するロックされない第１位置から回転して移動できるロック・アームであって、前記第１間隙が、前記細長い柔軟な物品が前記縦の穴に導入され、そこから引き抜かれるのに十分なものであり、前記ロック・アームが、前記内側の壁の嵌合突起と前記第１ロック・アーム嵌合突起と前記第２ロック・アーム嵌合突起との間に第２間隙を提供するロックされた第２位置に回転可能であり、前記第２間隙が前記第１間隙より小さく、前記ロック・アームが前記第２位置にあるとき、前記内側の壁の嵌合突起と前記第１ロック・アーム嵌合突起と前記第２ロック・アーム嵌合突起とが、前記柔軟な物品を前記縦の穴に固定するのに十分な量だけ前記柔軟な物品に当たるような寸法であり、前記内側の壁の嵌合突起と前記第１ロック・アーム嵌合突起と前記第２ロック・アーム嵌合突起とが、前記細長い柔軟な物品が前記ハウジングから離れる方向に引っぱられるとき、前記ロック・アームが前記第２位置の方向に動かされるような寸法と配置であり、前記第１ロック・アーム嵌合突起と前記第２ロック・アーム嵌合突起は、前記ロック・アームが前記第２位置に配置されると、異なる直径のコードを収容し固定するような柔軟性と寸法を有するロック・アームと、
ｃ）前記ロック・アームを前記第１位置から前記第２位置に選択的に移動させるための手段と、
ｄ）前記ロック・アームを前記第２位置にロックするための手段とを含み、
前記ロック手段が、前記ロック・アームに配置された溝と第１端および第２端を含む部材とを含み、前記第１端と前記第２端が前記ハウジングの前記内側の壁に取り付けられ、前記溝が、前記ロック・アームが前記第２位置に配置されるとき前記部材を嵌合できる寸法であることを特徴とするコード留め金具。
【請求項２】
請求項１に記載の装置において、選択的に移動させるための前記手段が、前記ロック・アームから伸び、前記ハウジングに配置された対応する開口部に選択的に嵌合できる寸法である複数の突起を含むコード留め金具。
【請求項３】
請求項１に記載の装置において、前記ロック手段が、前記ロック・アームから伸び、前記ハウジングに配置された対応する開口部に選択的に嵌合できる寸法である複数の突起を含むコード留め金具。
【請求項４】
請求項１に記載の装置において、前記ロック手段が、前記ハウジングから伸び、前記ロック・アームに配置された対応する開口部に選択的に嵌合できる寸法である複数の突起を含むコード留め金具。
【請求項５】
弾性ゴム・コードを物品に選択的に固定するための弾性フックであって、
ａ）第１端、第２端、外側の壁および、前記弾性ゴム・コードを受ける寸法を有する隠れた縦の穴を形成し、嵌合突起を備えた内側の壁とを有するハウジングと、
ｂ）前記ハウジングに回転できるように設置され、第１ロック・アーム嵌合突起と第２ロック・アーム嵌合突起とを備え、前記内側の壁の嵌合突起と前記第１ロック・アーム嵌合突起と前記第２ロック・アーム嵌合突起との間に第１間隙を提供するロックされない第１位置から回転して移動できるロック・アームであって、前記第１間隙が、前記弾性ゴム・コードが前記縦の穴に導入され、そこから引き抜かれるのに十分なものであり、前記ロック・アームが、前記内側の壁の嵌合突起と前記第１ロック・アーム嵌合突起と前記第２ロック・アーム嵌合突起との間に第２間隙を提供するロックされた第２位置に回転して移動可能であり、前記第２間隙が前記第１間隙より小さく、前記ロック・アームが前記第２位置にあるとき、前記内側の壁の嵌合突起と前記第１ロック・アーム嵌合突起と前記第２ロック・アーム嵌合突起とが、前記弾性ゴム・コードを前記縦の穴に固定するのに十分な量だけ前記弾性ゴム・コードに当たるような寸法であり、前記内側の壁の嵌合突起と前記第１ロック・アーム嵌合突起と前記第２ロック・アーム嵌合突起とが、前記弾性ゴム・コードが前記ハウジングから離れる方向に引っぱられるとき、前記ロック・アームが前記第２位置の方向に動かされるような寸法と配置であり、前記第１ロック・アーム嵌合突起と前記第２ロック・アーム嵌合突起は、前記ロック・アームが前記第２位置に配置されると、異なる直径のコードを収容し固定するような柔軟性と寸法を有するロック・アームと、
ｃ）前記ロック・アームを前記第１位置から前記第２位置に選択的に移動させるための手段と、
ｄ）前記ロック・アームを前記第２位置にロックするための手段と、
ｅ）前記ハウジングの第１端に配置された、前記弾性ゴム・フックを物体に取り付けるための取り付け手段とを含み、
前記ロック手段が、前記ロック・アームに配置された溝と第１端および第２端を有する部材とを含み、前記第１端および前記第２端が前記ハウジングの前記内側の壁に取り付けられ、前記溝が、前記ロック・アームが前記第２位置に配置されるとき前記部材に嵌合できる寸法であることを特徴とする弾性ゴム・フック。
【請求項６】
請求項５に記載の弾性ゴム・フックにおいて、選択的に移動させるための前記手段が、前記ロック・アームから伸び、前記ハウジングに配置された対応する開口部に選択的に嵌合できる寸法である複数の突起を含む弾性ゴム・フック。
【請求項７】
請求項５に記載の弾性ゴム・フックにおいて、前記取り付け手段が、前記ハウジングの前記第１端から突出したフックを含み、前記フックが第１端と第２端とを含み、前記フックの第２端が前記ハウジングに取り付けられる弾性ゴム・フック。
【請求項８】
請求項７に記載の弾性ゴム・フックにおいて、さらに前記ハウジングの前記第１端に配置された、前記フックを物品と選択的に嵌合したり外したりするための留めガードを含む弾性ゴム・フック。
【請求項９】
請求項８に記載の弾性ゴム・フックにおいて、前記留めガードが、第１および第２の端を有する選択的に柔軟な縦の部材を含み、前記第１端が前記ハウジングの第２端に取り付けられ、前記縦の部材の前記第２端が前記フックの前記第２端から変化する距離に配置されて前記フックが物体に選択的に嵌合したり外れたりするのを許容する弾性ゴム・フック。
【請求項１０】
請求項９に記載の弾性ゴム・フックにおいて、前記ロック手段が前記ロック・アームから伸び、前記ハウジングに配置された対応する開口部に選択的に嵌合できる寸法である複数の突起を含む弾性ゴム・フック。
【請求項１１】
請求項９に記載の弾性ゴム・フックにおいて、前記ロック手段が前記ハウジングから伸び、前記ロック・アームに配置された対応する開口部に選択的に嵌合できる寸法である複数の突起を含む弾性ゴム・フック。
【請求項１２】
細長い柔軟な物品を選択的に固定するための装置であって、
ａ）第１端、第２端、外側の壁および、前記細長い柔軟な物品を受ける寸法を有する隠れた縦の穴を形成する内側の壁とを有するハウジングと、
ｂ）前記ハウジングに回転できるように設置され、第１ロック・アーム嵌合突起と第２ロック・アーム嵌合突起とを備え、前記内側の壁と前記第１ロック・アーム嵌合突起と前記第２ロック・アーム嵌合突起との間に第１間隙を提供するロックされない第１位置から回転して移動できるロック・アームであって、前記第１間隙が、前記細長い柔軟な物品が前記縦の穴に導入され、そこから引き抜かれるのに十分なものであり、前記ロック・アームが、前記内側の壁と前記第１ロック・アーム嵌合突起と前記第２ロック・アーム嵌合突起との間に第２間隙を提供するロックされた第２位置に回転して移動可能であり、前記第２間隙が前記第１間隙より小さく、前記ロック・アームが前記第２位置にあるとき、前記内側の壁と前記第１ロック・アーム嵌合突起と前記第２ロック・アーム嵌合突起とが、前記柔軟な物品を前記縦の穴に固定するのに十分な量だけ前記柔軟な物品に当たるような寸法であり、前記内側の壁と前記第１ロック・アーム嵌合突起と前記第２ロック・アーム嵌合突起とが、前記細長い柔軟な物品が前記ハウジングから離れる方向に引っぱられるとき、前記ロック・アームが前記第２位置の方向に動かされるような寸法と配置であり、前記第１ロック・アーム嵌合突起と前記第２ロック・アーム嵌合突起は、前記ロック・アームが前記第２位置に配置されると、異なる直径のコードを収容し固定するような柔軟性と寸法を有するロック・アームと、
ｃ）前記ロック・アームを前記第２位置にロックするための手段とを含み、
前記ロック手段が、前記ロック・アームに配置された溝と、第１端および第２端を有する部材とを含み、前記第１端および前記第２端が前記ハウジングの前記内側の壁に取り付けられ、前記溝が、前記ロック・アームが前記第２位置に配置されるとき、前記部材を嵌合できる寸法であることを特徴とするコード留め金具。
【請求項１３】
請求項１２に記載の装置において、選択的に移動させるための前記手段が、前記内側の壁から伸び、前記ロック・アームに配置された対応する開口部に選択的に嵌合できる寸法である突起を含むコード留め金具。
【請求項１４】
請求項１２に記載の装置において、前記内側の壁に配置された内側の壁の嵌合突起をさらに含むコード留め金具。
【請求項１５】
請求項１２に記載の装置において、ロックするための前記手段が、前記ロック・アームから伸び、前記ハウジングに配置された対応する開口部に選択的に嵌合できる寸法である複数の突起を含むコード留め金具。
【請求項１６】
請求項１２に記載の装置において、ロックするための前記手段が、前記ハウジングから伸び、前記ロック・アームに配置された対応する開口部に選択的に嵌合できる寸法である複数の突起を含むコード留め金具。
【請求項１７】
細長い柔軟な物品を選択的に固定するための装置であって、
ａ）第１端、第２端、外側の壁および、前記細長い柔軟な物品を受ける寸法を有する隠れた縦の穴を形成する内側の壁とを有するハウジングと、
ｂ）前記ハウジングに回転できるように設置され、少なくとも１つのロック・アーム嵌合突起とを備え、前記内側の壁と前記少なくとも１つのロック・アーム嵌合突起との間に第１間隙を提供するロックされない第１位置から回転して移動できるロック・アームであって、前記第１間隙が、前記細長い柔軟な物品が前記縦の穴に導入され、そこから引き抜かれるのに十分なものであり、前記ロック・アームが、前記内側の壁と前記少なくとも１つのロック・アーム嵌合突起との間に第２間隙を提供するロックされた第２位置に回転して移動可能であり、前記第２間隙が前記第１間隙より小さく、前記ロック・アームが前記第２位置にあるとき、前記内側の壁と前記少なくとも１つのロック・アーム嵌合突起とが、前記柔軟な物品を前記縦の穴に固定するのに十分な量だけ前記柔軟な物品に当たるような寸法であり、前記内側の壁と前記少なくとも１つのロック・アーム嵌合突起とが、前記柔軟な物品が前記ハウジングから離れる方向に引っぱられるとき、前記ロック・アームが前記第２位置の方向に動かされるような寸法と配置であり、前記少なくとも１つのロック・アーム嵌合突起は、前記ロック・アームが前記第２位置に配置されると、異なる直径のコードを収容し固定するような柔軟性と寸法を有するロック・アームと、
ｃ）前記ロック・アームを前記第１位置から前記第２位置に選択的に移動させるための手段と、
ｄ）前記ロック・アームを前記第２位置にロックするための手段とを含み、
前記ロック手段が、前記ロック・アームに配置された溝と、第１端および第２端を有する部材とを含み、前記第１端および前記第２端が前記ハウジングの前記内側の壁に取り付けられ、前記溝が、前記ロック・アームが前記第２位置に配置されるとき、前記部材に嵌合できる寸法であることを特徴とするコード留め金具。
【請求項１８】
請求項１７に記載の装置において、選択的に移動させるための前記手段が、前記ロック・アームから伸び、前記ハウジングに配置された対応する開口部に選択的に嵌合できる寸法である複数の突起を含むコード留め金具。
【請求項１９】
請求項１７に記載の装置において、前記ロック手段が、前記ロック・アームから伸び、前記ハウジングに配置された対応する開口部に選択的に嵌合できる寸法であるコード留め金具。
【請求項２０】
請求項１７に記載の装置において、前記ロック手段が、前記ハウジングから伸び、前記ロック・アームに配置された対応する開口部に選択的に嵌合できる寸法である複数の突起を含むコード留め金具。
【請求項２１】
弾性ゴム・コードを物品に選択的に固定するための弾性フックであって、
ａ）第１端、第２端、外側の壁および、前記弾性ゴム・コードを受ける寸法を有する隠れた縦の穴を形成する内側の壁とを有するハウジングと、
ｂ）前記ハウジングに回転できるように設置され、少なくとも１つのロック・アーム嵌合突起を備え、前記内側の壁と前記少なくとも１つのロック・アーム嵌合突起の間に第１間隙を提供するロックされない第１位置から回転して移動できるロック・アームであって、前記第１間隙が、前記弾性ゴム・コードが前記縦の穴に導入され、そこから引き抜かれるのに十分なものであり、前記ロック・アームが、前記内側の壁と前記少なくとも１つのロック・アーム嵌合突起の間に第２間隙を提供するロックされた第２位置に回転して移動可能であり、前記第２間隙が前記第１間隙より小さく、前記ロック・アームが前記第２位置にあるとき、前記内側の壁と前記少なくとも１つのロック・アーム嵌合突起が、前記弾性ゴム・コードを前記縦の穴に固定するのに十分な量だけ前記柔軟な物品に当たるような寸法であり、前記内側の壁と前記少なくとも１つのロック・アーム嵌合突起が、前記弾性ゴム・コードが前記ハウジングから離れる方向に引っぱられるとき、前記ロック・アームが前記第２位置の方向に動かされるような寸法と配置であり、前記少なくとも１つのロック・アーム嵌合突起は、前記ロック・アームが前記第２位置に配置されると、異なる直径のコードを収容し固定するような柔軟性と寸法を有するロック・アームと、
ｃ）前記ロック・アームを前記第１位置から前記第２位置に選択的に移動させるための手段と、
ｄ）前記ロック・アームを前記第２位置にロックするための手段と、
ｅ）前記ハウジングの第１端に配置された、前記弾性ゴム・フックを物品に取り付けるための取り付け手段とを含み、
前記ロック手段が、前記ロック・アームに配置された溝と第１端および第２端を有する部材とを含み、前記第１端および前記第２端が前記ハウジングの前記内側の壁に取り付けられ、前記溝が、前記ロック・アームが前記第２位置に配置されるとき前記部材に嵌合できる寸法であることを特徴とする弾性ゴム・フック。
【請求項２２】
請求項２１に記載の弾性ゴム・フックにおいて、選択的に移動させるための前記手段が、前記ロック・アームから伸び、前記ハウジングに配置された対応する開口部を選択的に嵌合できる寸法である複数の突起を含む弾性ゴム・フック。
【請求項２３】
請求項２１に記載の弾性ゴム・フックにおいて、前記取り付け手段が、前記ハウジングの前記第１端から突出したフックを含み、前記フックが第１端および第２端を含み、前記フックの前記第２端が前記ハウジングに取り付けられる弾性ゴム・フック。
【請求項２４】
請求項２３に記載の弾性ゴム・フックにおいて、前記ハウジングの前記第１端に配置された、前記フックを物品に選択的に嵌合したり外したりするための留めガードをさらに含む弾性ゴム・フック。
【請求項２５】
請求項２４に記載の弾性ゴム・フックにおいて、前記留めガードが第１端および第２端を有する選択的に柔軟な縦の部材を含み、前記第１端が前記ハウジングの前記第２端に取り付けられ、前記縦の部材の前記第２端が前記フックの前記第２端から変化する距離に配置され、前記フックが物品に選択的に嵌合したり外れたりするのを許容する弾性ゴム・フック。
【請求項２６】
請求項２５に記載の弾性ゴム・フックにおいて、前記ロック手段が、前記ロック・アームから伸び、前記ハウジングに配置された対応する開口部に選択的に嵌合できる寸法である複数の突起を含む弾性ゴム・フック。
【請求項２７】
請求項２５に記載の弾性ゴム・フックにおいて、前記ロック手段が、前記ハウジングから伸び、前記ロック・アームに配置された対応する開口部に嵌合できる寸法である複数の突起を含む弾性ゴム・フック。
【請求項２８】
請求項２５に記載の弾性ゴム・フックにおいて、前記留めガードが、第１端および第２端を有する選択的に柔軟な縦の部材を含み、前記第１端が前記ハウジングの前記第２端に取り付けられ、前記縦の部材の前記第２端が前記フックの前記第２端から変化する距離に配置され、前記フックが物品と選択的に嵌合したり外れたりするのを許容する弾性ゴム・フック。
【請求項２９】
細長い柔軟な物品を選択的に固定するための装置であって、
ａ）第１端、第２端、外側の壁および、前記細長い柔軟な物品を受ける寸法を有する隠れた縦の穴を形成する内側の壁とを有するハウジングと、
ｂ）前記ハウジングに回転できるように設置され、第１ロック・アーム嵌合突起と第２ロック・アーム嵌合突起とを備え、前記内側の壁と前記第１ロック・アーム嵌合突起と前記第２ロック・アーム嵌合突起との間に第１間隙を提供するロックされない第１位置から回転して移動できるロック・アームであって、前記第１間隙が、前記細長い柔軟な物品が前記縦の穴に導入され、そこから引き抜かれるのに十分なものであり、前記ロック・アームが、前記内側の壁と前記第１ロック・アーム嵌合突起と前記第２ロック・アーム嵌合突起との間に第２間隙を提供するロックされた第２位置に回転して移動可能であり、前記第２間隙が前記第１間隙より小さく、前記ロック・アームが前記第２位置にあるとき、前記内側の壁と前記第１ロック・アーム嵌合突起と前記第２ロック・アーム嵌合突起とが、前記柔軟な物品を前記縦の穴に固定するのに十分な量だけ前記柔軟な物品に当たるような寸法であり、前記内側の壁と前記第１ロック・アーム嵌合突起と前記第２ロック・アーム嵌合突起とが、前記柔軟な物品が前記ハウジングから離れる方向に引っぱられるとき、前記ロック・アームが前記第２位置の方向に動かされるような寸法と配置であり、前記第１ロック・アーム嵌合突起と前記第２ロック・アーム嵌合突起は、前記ロック・アームが前記第２位置に配置されると、異なる直径のコードを収容し固定するような柔軟性と寸法を有するロック・アームと、
ｃ）前記ロック・アームを前記第２位置にロックするための手段とを含み、
前記ロック手段が、前記ロック・アームに配置された溝と、第１端および第２端を有する部材を含み、前記第１端および前記第２端が前記ハウジングの前記内側の壁に取り付けられており、前記溝が、前記ロック・アームが前記第２位置に配置されているとき前記部材に嵌合できる寸法であることを特徴とするコード留め金具。
【請求項３０】
請求項２９に記載の装置において、選択的に移動させるための前記手段が、前記内側の壁から伸び、前記ロック・アームに配置された対応する開口部に選択的に嵌合できる寸法である突起を含むコード留め金具。
【請求項３１】
請求項２９に記載の装置において、前記内側の壁に配置された内側の壁の嵌合突起をさらに含むコード留め金具。
【請求項３２】
請求項２９に記載の装置において、ロックするための前記手段が、前記ロック・アームから伸び、前記ハウジングに配置された対応する開口部に選択的に嵌合できる寸法である複数の突起を含むコード留め金具。
【請求項３３】
請求項２９に記載の装置において、ロックするための前記手段が、前記ハウジングから伸び、前記ロック・アームに配置された対応する開口部に選択的に嵌合できる寸法である複数の突起を含むコード留め金具。
【請求項３４】
細長い柔軟な物品を選択的に固定するための装置であって、
ａ）第１端、第２端、外側の壁および、前記細長い柔軟な物品を受ける寸法を有する隠れた縦の穴を形成し、嵌合突起を備えた内側の壁とを有するハウジングと、
ｂ）前記ハウジングに回転できるように設置され、少なくとも１つの柔軟な歯状部材を備え、前記内側の壁の嵌合突起と前記少なくとも１つの柔軟な歯状部材との間に第１間隙を提供するロックされない第１位置から回転して移動できるロック・アームであって、前記第１間隙が、前記細長い柔軟な物品が前記縦の穴に導入され、そこから引き抜かれるのに十分なものであり、前記ロック・アームが、前記内側の壁の嵌合突起と前記少なくとも１つの柔軟な歯状部材との間に第２間隙を提供するロックされた第２位置に回転して移動可能であり、前記少なくとも１つの柔軟な歯状部材は、前記ロック・アームが前記第２位置に配置されると、異なる直径のコードを収容し固定するような柔軟性と寸法を有し、前記第２間隙が前記第１間隙より小さく、前記ロック・アームが前記第２位置にあるとき、前記内側の壁の嵌合突起と前記少なくとも１つの柔軟な歯状部材とが、前記柔軟な物品を前記縦の穴に固定するのに十分な量だけ前記柔軟な物品に当たるような寸法であり、前記内側の壁の嵌合突起と前記少なくとも１つの柔軟な歯状部材とが、前記柔軟な物品が前記ハウジングから離れる方向に引っぱられるとき、前記ロック・アームが前記第２位置の方向に動かされるような寸法と配置であるロック・アームと、
ｃ）前記ロック・アームを前記第１位置から前記第２位置に選択的に移動させるための手段と、
ｄ）前記ロック・アームを前記第２位置にロックするための手段とを含み、
前記ロック手段が、前記ロック・アームに配置された溝と、第１端および第２端を有する部材とを含み、前記第１端および前記第２端が前記ハウジングの前記内側の壁に取り付けられ、前記溝が、前記ロック・アームが前記第２位置に配置されるとき、前記部材に嵌合できる寸法であることを特徴とするコード留め金具。
【請求項３５】
請求項３４に記載の装置において、前記少なくとも１つの柔軟な歯状部材に配置された鋸歯状切り込みをさらに含むコード留め金具。
【請求項３６】
請求項１、請求項５、請求項１２および請求項２９に記載の装置において、前記ロック・アーム嵌合突起に配置された鋸歯状切り込みをさらに含むコード留め金具。
【請求項３７】
請求項１７および請求項２１に記載の装置において、前記少なくとも１つのロック・アーム嵌合突起に配置された鋸歯状切り込みをさらに含むコード留め金具。
【発明の詳細な説明】
【０００１】
【発明の属する技術分野】
本発明は、概して、コード、ロープなどの細長い柔軟な物品を選択的に固定するための装置に関し、より詳細には、弾性ゴム・コードを選択的に固定し取り付けるための装置に関する。
【０００２】
【従来の技術、及び、発明が解決しようとする課題】
さまざまな締め金が従来技術で知られている。例えば、米国特許第４，３６８，９９９号はケーブルまたはワイヤといった柔軟なエレメントの末端部分を接続するための継ぎ手を開示する。その部分は２つの独立した部分から形成される。
第１部分は柔軟なエレメントを受けるケージであり、普通ケージの外側に突出した横に伸びる少なくとも１つの柔軟なストリップを含む。第２部分はストリップを内側に動かしてストリップの一部が柔軟なエレメントの中に埋め込まれるようにするためにケージの上をスライドできるスライダである。
【０００３】
米国特許第５，２８３，９３０号は、留め金本体を形成し、それによって間に折り曲げられたコードをとらえる２つの部分を含む、折り曲げられたコードのための留め金を開示する。この部分にはコードの不法な通路を形成するためのグリップ歯が含まれる。
【０００４】
こうした従来技術の固定装置の欠点の１つはそれらが複雑で、製造が高価につくことである。
【０００５】
こうした従来技術の装置の他の欠点は、コードまたはロープを導入したり固定装置から取り外すのが困難であったり時間がかかったりすることである。
【０００６】
従来技術の装置のさらに他の欠点は、コードまたはロープを固定する部分が、コードまたはロープがハウジングから離れた方向に引っぱられるのに応じて開いたりゆるんだりする傾向があることである。
【０００７】
本発明の目的は、簡単で製造が安価な、容易かつ速やかにロープまたはコードを固定するための装置を提供することである。
【０００８】
本発明の他の目的は、コードを別の対象に固定するための手段を備えた、ロープまたはコードを固定するための装置を提供することである。
【０００９】
本発明の他の目的は、ロープまたはコードに適用される引っぱりまたは強い引き等の緊張に応じてロック部分をロック位置に動かす、ロープまたはコードを固定するための装置を提供することである。
【００１０】
【課題を解決するための手段】
本発明の目的は、第１端、第２端、外側の壁および、細長い柔軟な物品を受ける寸法を有する隠れた縦の穴を形成する内側の壁を有するハウジングと、前記ハウジングに回転できるように設置され、少なくとも１つのロック・アーム嵌合突起を備え、前記内側の壁と前記少なくとも１つのロック・アーム嵌合突起との間に第１間隙を提供するロックされない第１部分から回転して移動できるロック・アームであって、前記第１間隙が、前記細長い柔軟な物品が前記縦の穴に導入され、そこから引き抜かれるのに十分なものであり、前記ロック・アームが、前記内側の壁と前記少なくとも１つのロック・アーム嵌合突起との間に第２間隙を提供するロックされた第２位置に回転可能であり、前記第２間隙が前記第１間隙より小さく、前記ロック・アームが前記第２位置にあるとき、前記内側の壁と前記少なくとも１つのロック・アーム嵌合突起が、前記柔軟な物品を前記縦の穴に固定するのに十分な量だけ前記柔軟な物品に当たるような寸法であり、前記内側の壁と前記少なくとも１つのロック・アーム嵌合突起とが、前記細長い柔軟な物品が前記ハウジングから離れる方向に引っぱられるとき、前記ロック・アームが前記第２位置の方向に動かされるような寸法と配置であり、前記少なくとも１つのロック・アーム嵌合突起は、前記ロック・アームが前記第２位置に配置されると、異なる直径のコードを収容し固定するような柔軟性と寸法を有するロック・アームと、前記ロック・アームを前記第１位置から前記第２位置に選択的に移動させるための手段と、前記ロック・アームを前記第２位置にロックするための手段とを含む、前記細長い柔軟な物品を選択的に固定するための装置を提供することである。
【００１１】
本発明の他の目的は、第１端、第２端、外側の壁および前記細長い柔軟な物品を受ける寸法を有する隠れた縦の穴を形成し、嵌合突起を備えた内側の壁を有するハウジングと、前記ハウジングに回転できるように設置され、少なくとも１つの柔軟な歯状部材を備え、前記内側の壁の嵌合突起と前記少なくとも１つの歯状部材との間に第１間隙を提供するロックされない第１部分から回転して移動できるロック・アームであって、前記第１間隙が、前記細長い柔軟な物品が前記縦の穴に導入され、そこから引き抜かれるのに十分なものであり、前記ロック・アームが、前記内側の壁の嵌合突起と前記少なくとも１つの柔軟な歯状部材との間に第２間隙を提供するロックされた第２位置に回転可能であり、前記少なくとも１つの柔軟な歯状部材は、前記ロック・アームが前記第２位置に配置されると、異なる直径のコードを収容し固定するような柔軟性と寸法を有し、前記第２間隙が前記第１間隙より小さく、前記ロック・アームが前記第２位置にあるとき、前記内側の壁の嵌合突起と前記少なくとも１つの歯状部材が、前記柔軟な物品を前記縦の穴に固定するのに十分な量だけ前記柔軟な物品に当たるような寸法であり、前記内側の壁の嵌合突起と前記少なくとも１つの歯状部材とが、前記細長い柔軟な物品が前記ハウジングから離れる方向に引っぱられるとき、前記ロック・アームが前記第２位置の方向に動かされるような寸法と配置であるロック・アームと、前記ロック・アームを前記第１位置から前記第２位置に選択的に移動させるための手段と、前記ロック・アームを前記第２位置にロックするための手段とを含む、前記細長い柔軟な物品を選択的に固定するための装置を提供することである。
【００１２】
本発明の他の目的は、第１端、第２端、外側の壁および前記細長い柔軟な物品を受ける寸法を有する隠れた縦の穴を形成し、嵌合突起を備えた内側の壁を有するハウジングと、前記ハウジングに回転できるように設置され、第１ロック・アーム嵌合突起と第２ロック・アーム嵌合突起とを備え、前記内側の壁の嵌合突起と前記第１ロック・アーム嵌合突起と前記第２ロック・アーム嵌合突起との間に第１間隙を提供するロックされない第１位置から回転して移動できるロック・アームであって、前記第１間隙が、前記細長い柔軟な物品が前記縦の穴に導入され、そこから引き抜かれるのに十分なものであり、前記ロック・アームが、前記内側の壁の嵌合突起と前記第１ロック・アーム嵌合突起と前記第２ロック・アーム嵌合突起との間に第２間隙を提供するロックされた第２位置に回転可能であり、前記第２間隙が前記第１間隙より小さく、前記ロック・アームが前記第２位置にあるとき、前記内側の壁の嵌合突起と前記第１ロック・アーム嵌合突起と前記第２ロック・アーム嵌合突起とが、前記柔軟な物品を前記縦の穴に固定するのに十分な量だけ前記柔軟な物品に当たるような寸法であり、前記内側の壁の嵌合突起と前記第１ロック・アーム嵌合突起と前記第２ロック・アーム嵌合突起とが、前記細長い柔軟な物品が前記ハウジングから離れる方向に引っぱられるとき、前記ロック・アームが前記第２位置の方向に動かされるような寸法と配置であり、前記第１ロック・アーム嵌合突起と前記第２ロック・アーム嵌合突起は、前記ロック・アームが前記第２位置に配置されると、異なる直径のコードを収容し固定するような柔軟性と寸法を有するロック・アームと、前記ロック・アームを前記第１位置から前記第２位置に選択的に移動させるための手段と、前記ロック・アームを前記第２位置にロックするための手段とを含む、前記細長い柔軟な物品を選択的に固定するための装置を提供することである。
【００１３】
本発明の他の目的は、第１端、第２端、外側の壁および弾性ゴム・コードを受ける寸法を有する隠れた縦の穴を形成し、嵌合突起を備えた内側の壁を有するハウジングと、前記ハウジングに回転できるように設置され、第１ロック・アーム嵌合突起と第２ロック・アーム嵌合突起とを備え、前記内側の壁の嵌合突起と前記第１ロック・アーム嵌合突起と前記第２ロック・アーム嵌合突起との間に第１間隙を提供するロックされない第１位置から回転して移動できるロック・アームであって、前記第１間隙が、前記弾性ゴム・コードが前記縦の穴に導入され、そこから引き抜かれるのに十分なものであり、前記ロック・アームが、前記内側の壁の嵌合突起と前記第１ロック・アーム嵌合突起と前記第２ロック・アーム嵌合突起との間に第２間隙を提供するロックされた第２位置に回転可能であり、前記第２間隙が前記第１間隙より小さく、前記ロック・アームが前記第２位置にあるとき、前記内側の壁の嵌合突起と前記第１ロック・アーム嵌合突起と前記第２ロック・アーム嵌合突起とが、前記弾性ゴム・コードを前記縦の穴に固定するのに十分な量だけ前記弾性ゴム・コードに当たるような寸法であり、前記内側の壁の嵌合突起と前記第１ロック・アーム嵌合突起と前記第２ロック・アーム嵌合突起とが、前記弾性ゴム・コードが前記ハウジングから離れる方向に引っぱられるとき、前記ロック・アームが前記第２位置の方向に動かされるような寸法と配置であり、前記第１ロック・アーム嵌合突起と前記第２ロック・アーム嵌合突起は、前記ロック・アームが前記第２位置に配置されると、異なる直径のコードを収容し固定するような柔軟性と寸法を有するロック・アームと、前記ロック・アームを前記第１位置から前記第２位置に選択的に移動させるための手段と、前記ロック・アームを前記第２位置にロックするための手段と、前記ハウジングの前記第１端に配置された、弾性ゴム・フックを物体に取り付けるための取り付け手段とを含む、前記弾性ゴム・コードを物品に選択的に固定するための前記弾性ゴム・フックを含む、前記弾性ゴム・コードを物品に選択的に固定するための弾性ゴム・フックを提供することである。
【００１４】
【発明の実施の形態】
図１は本発明によって構成されるコード留め金具１を示し、第１端３、第２端４、外側の壁５および隠れた縦の穴７を形成する内側の壁６を有するハウジング２を示す。穴７はコード、ケーブルまたはロープ８といった細長い柔軟な物品（図２および図３に斜視図で示す）を受ける寸法である。内側の壁６は嵌合突起９（図３、図４および図５に示す）を備えることがある。複数の嵌合突起が、特定の適用業務で指示されるように利用される。
【００１５】
ロック・アーム１０はハウジング２に回転できるように設置され、１つかそれ以上の嵌合突起を備えることがある。図示される実施形態では、ロック・アームは第１ロック・アーム嵌合突起１１と第２ロック・アーム嵌合突起１２とを備えている。特定の適用業務で指示される場合２つの突起１１および１２より多い突起が利用されることがある。特に好適な実施形態では、嵌合突起は図３（ｂ）に示すように鋸歯状切り込み１００を備えている。嵌合突起１１および１２は実質上剛体である。他の実施形態では、ロック・アームは１つかそれ以上の柔軟な歯状部材１０１（図４（ａ）および図４（ｂ）に示す）を備えている。柔軟な歯状部材１０１および１０１’は、異なった直径のコードを縦の穴７に収容し固定できるようにたわむ寸法である。図４（ｂ）に示す特に好適な実施形態では、ハウジングが嵌合突起９を備え、ロック・アームは２つの柔軟な歯状部材１０１および１０１’を備えている。嵌合突起９は鋸歯状切り込み１００を備えることもある。ロック・アーム１０は、図３（ａ）に示すようにロックされない第１位置１３からロックされた第２位置１４に回転して移動する。ロック・アームを第１すなわちロックされない位置１３から第２すなわちロックされた位置１４に選択的に回転して動かすための手段が提供される。１つの好適実施形態では、図１、図２、図３および図６に示すように、ロック・アーム１０を第１位置１３から第２位置１４に動かすための手段は、ハウジング２に配置された同様の形状の対応する１組の窪み２２および２３と密接して嵌合するための、ロック・アーム１０から伸びる１組の円筒形の突起２０および２１を含む。突起の外側の端は、図１および図６に示すように、カムとなって突起２０および２１と窪み２２および２３との「スナップフィット」な嵌合を助長し、ひいては組立を助長する。
【００１６】
ロック・アーム１０は、第１位置１３に配置されるとき、内側の壁の嵌合突起９と第１ロック・アーム嵌合突起１１と第２ロック・アーム嵌合突起１２との間に第１間隙Ｃ１を提供する。この第１間隙Ｃ１は、コード、ロープ、ワイヤ等の細長い柔軟な物品８が縦の穴７に導入され、そこから引き抜かれるのを許容するのに十分なものである。ロック・アーム１０は、回転して第２ロック位置１４に移動すると、内側の壁の嵌合突起９と第１ロック・アーム嵌合突起１１と第２ロック・アーム嵌合突起１２との間に第２間隙Ｃ２を提供する。第２間隙Ｃ２は第１間隙Ｃ１より小さいので、内側の壁の嵌合突起９と第１ロック・アーム嵌合突起１１と第２ロック・アーム嵌合突起１２とはコード、ロープまたはワイヤ８をハウジング２の縦の穴７に固定するのに十分な量だけ、縦の穴７に配置されたコード、ロープまたはワイヤ８に当たるようになる。内側の壁の嵌合突起９と第１ロック・アーム嵌合突起１１と第２ロック・アーム嵌合突起１２とは、組み合わされた配列で、ロープ、コードまたはワイヤ８がハウジング２から離れる方向に引っぱられたり強く引かれたりするとき第１ロック・アーム嵌合突起１１に適用された圧力によってロック・アーム１０が第２すなわちロックされた位置１４に動かされるような寸法と配置である。従って、コードまたはワイヤ８は、強く引っぱられるほど、ハウジング２の穴７の中で強く固定される。
【００１７】
好適実施形態では、装置はロック・アーム１０を第２すなわちロックされた位置１４に選択的にロックするためのロック手段を備えている。当業技術分野に熟練した者に周知の多様なロック手段がこの目的に適したものとして利用できるが、好適実施形態では雄雌インターロックが使用される。図１、図３および図５に示す１つの好適実施形態では、ロック・アーム１０は、ハウジング２に配置された同様の形状の対応する１組の窪み１７および１８と密接に嵌合するための１組の円筒形の突起１５および１６を備えている。本発明の好適な実施形態では、図８（ａ）および図８（ｂ）に示すように、ロック手段は、各端がハウジング２の内側の壁６に取り付けられた第１端１０６と第２端１０７とを有する部材１０５を含む。溝１０８がロック・アーム１０に配置される。溝１０８とロック・アーム１０とは、ロック・アームが第２すなわちロック位置１４に移動するとき、チャネル１０８が部材１０５と嵌合するような寸法と配置である。特に好適な実施形態では、ロック・アームは、ロック・アーム１０または２４を把握し、ひいてはロック・アーム１０または２４の第２すなわちロックされた位置１４から第１すなわちロックされていない位置１３への選択的な移動を促進するためのフィンガネイル・タブ２５を備えている。
【００１８】
他の参考例が図７（ａ）、図７（ｂ）および図７（ｃ）（ハウジングの一部がわかりやすくするために省略されている）に示される。この実施形態では、ロック・アーム２４を第１すなわちロックされない位置から第２すなわちロックされた位置に移動させるための手段が、ハウジング１９の内側の壁３４から伸びた第１端と第２端とを有する、ロック・アーム２４に配置された同様の形状の対応する穴３５と密接に嵌合するための円筒形状の突起３３を含む。図７（ｃ）に示すように、突起の第１および第２の端は内側の壁の表面に取り付けられる。図７（ａ）および図７（ｂ）に示す特に好適な実施形態では、「スナップフィット」な組立ができるように、穴３５と突起３３とは適当な寸法であり、ロック・アーム２４の一部は除去される。前に論じたようなロック手段がこの実施形態でも提供されることがある。コードのためのロック手段がロック・アームに設置された柔軟なロック・アームの突起を含むこともある。コードのためのロック手段は、ロック・アームに設置された柔軟なロック・アーム突起を含むことがある。柔軟なロック・アームは、材料から選択され、ロックされた位置に配置されたとき、さまざまな直径のコードを収容するような大きさにし、土台の内側の壁に対してコードを固定できる。
【００１９】
当業技術分野に熟練したものに周知の多様な取り付け手段を、この目的に適したものとして利用し、ハウジング２に固定されたコードまたはロープ８を装置に取り付けるためにハウジング２の第２端４に配置することができるが、図１、図２、図３（ａ）および図７（ａ）および図７（ｂ）に示すように、好適実施形態ではフック２６が利用される。
【００２０】
図１および図２に示すように、フック２６は、フックの第１端２７がハウジング２の第２端４に取り付けられた第１端２７と第２端２８とを有する。特に好適な実施形態では、留めガード２９も提供され、選択的にフック２６を装置と嵌合したり外したりする。当業技術分野に熟練したものに周知の多様な留めガードが、この目的に適したものとして利用されるが、好適実施形態では選択的に柔軟な縦の部材２９が利用される。
【００２１】
図１、図２および図３（ａ）に示すように、選択的に柔軟な縦の留めガード２９は第１端３０および第２端３１を有する。選択的に柔軟な縦の留めガード２９の第１端３０はハウジング２の第２端４に取り付けられ、留めガード２９の第２端３１は、縦の留めガード２９とフック２６の第２端２８との間に変化するギャップを残すように、フック２６の第２端から変化する距離に配置される。縦の留めガード２９は、そこに圧力が選択的に適用されると、選択的に伸縮し、留めガード２９の第２端３１はフック２６の第２端２８から外れ、ギャップ３２は、フック２６が装置に取り付けられたり装置から外れたりするのを許容するのに十分な量だけ拡大する。圧力が選択的に柔軟な縦の留めガード２９から除去されると、ガード２９の第２端３１はその元の位置であるフック２６の第２端２８の方向に置換され、ギャップ３２はその元の固定する寸法に復帰する。
【００２２】
本発明は、上記で示した好適実施形態に関して特定の詳細な条件で説明されたが、寸法、形状等の変更、慣用構成要素と他の適用業務の代用を含む本発明の様々な他の実施形態が、添付の請求項に示されるような本発明のより広範な精神と範囲から離れることなく、当業技術分野に熟練した者には容易に明らかになるであろう。従って、本明細書は制限的な意味ではなく例示としてのものであると見なされるべきである。
【図面の簡単な説明】
【図１】ロック・アームとハウジングとを示す。
【図２】ロック・アームが第２位置に配置された、図１の装置である。
【図３】（ａ）は図２に示す装置の断面側面図である。（ｂ）はロック・アームが鋸歯状切り込みを備えた他の実施形態を示す。
【図４】（ａ）は柔軟な歯状部材を利用する他の実施形態を示す。（ｂ）は他の実施形態を示す。
【図５】図３の線４−４から見た断面上面図である。
【図６】図３の線５−５から見た断面上面図である。
【図７】参考例として、ロック・アームとハウジングとの他の実施形態を示す。
【図８】本発明の特徴的な構成であるロック手段の実施形態を示す。
【図１】
0004849198.tif 000002
【図２】
0004849198.tif 000003
【図３】
0004849198.tif 000004
【図４】
0004849198.tif 000005
【図５】
0004849198.tif 000006
【図６】
0004849198.tif 000007
【図７】
0004849198.tif 000008
【図８】
0004849198.tif 000009